(57)【特許請求の範囲】
【請求項１】
物品を収納可能な収納庫と、
前記収納庫の内部に収納された前記物品を加熱する加熱装置と、
前記収納庫に設けられた照明装置とを備え、
前記収納庫は、
外箱と、
前記外箱に対して昇降可能な昇降棚とを備え、
前記照明装置は、
一方向に延びた放熱部材と、
複数の回路基板と、
前記各回路基板に設けられた光源部とを備え、
前記放熱部材は、その長手方向に沿う一面である基板配置面を備え、
前記複数の回路基板は、前記基板配置面に沿って前記放熱部材の長手方向に並べて設けられ、
前記各回路基板は、前記基板配置面に沿って前記放熱部材の長手方向に延びた板状に形成され、
前記照明装置は、
前記放熱部材に設けられて前記複数の回路基板を前記各回路基板の長手方向の膨張を許容しつつ保持する保持具をさらに備えたことを特徴とする収納装置。
【請求項２】
前記各光源部は、
前記回路基板の長手方向に複数並べて設けられた発光ダイオードを備えたことを特徴とする請求項１に記載の収納装置。
【請求項３】
前記保持具は、
前記基板配置面において前記各回路基板の長手方向の両端部のそれぞれに対応する箇所に設けられて、対応する前記回路基板の長手方向の端部を保持する保持部を備え、
前記各保持部は、
対応する前記回路基板の長手方向の端面に対向し、当該回路基板がその長手方向における外側に向かって移動することを規制する第１の移動規制部と、
対応する前記回路基板の長手方向の端部の前記基板配置面とは反対側の面に対向し、当該回路基板が前記基板配置面とは反対側に移動することを規制する第２の移動規制部とを備え、
前記各回路基板の長手方向の両端部のうちの少なくとも一方の端部を保持する前記保持部は、前記第１の移動規制部と、対応する前記回路基板の長手方向の端面との間に、隙間が形成されるように設けられたことを特徴とする請求項１または請求項２に記載の収納装置。
【請求項４】
前記保持具は、
前記放熱部材の長手方向に離間して並んだ前記回路基板の間に位置して、前記基板配置面に取り付けられた保持部材を備え、
前記保持部材の両側に配置された前記回路基板のうちの一方の回路基板を一方回路基板とすると共に他方の回路基板を他方回路基板としたとき、
前記保持部材は、前記保持部として、
前記一方回路基板の前記他方回路基板側の端部を保持する一方保持部と、
前記一方保持部と一体に形成され、前記他方回路基板の前記一方回路基板側の端部を保持する他方保持部とを備えたことを特徴とする請求項３に記載の収納装置。
【請求項５】
前記一方回路基板と前記他方回路基板とを電気接続した配線をさらに備え、
前記配線は、前記基板配置面において前記一方回路基板と前記他方回路基板との間に亘る領域に沿って位置し、
前記保持部材は、前記回路基板の厚み方向で見たときに、前記配線と重ならない位置に設けられたことを特徴とする請求項４に記載の収納装置。
【発明の詳細な説明】
【技術分野】
【０００１】
本発明は、収納装置に関し、詳しくは照明装置を備えた収納装置に関する。
【背景技術】
【０００２】
特許文献１には、電動昇降式アッパーキャビネットが開示されている。この電動昇降式アッパーキャビネットは、台所の壁面に取り付けられる外筐体と、外筐体に格納される収納庫と、収納庫を昇降させる駆動源としてのモーターとを備えている。外筐体には、下方を照らす照明器具として蛍光灯が設けられている。また、特許文献１には、電動昇降式アッパーキャビネットにヒーターとファンを設けることで、収納庫を乾燥庫として利用することが記載されている。
【先行技術文献】
【特許文献】
【０００３】
【特許文献１】特開２００３−１８９９４７号公報
【発明の概要】
【発明が解決しようとする課題】
【０００４】
ところで、前記電動昇降式アッパーキャビネットにおいて、収納庫内の物品を乾燥したときには、ヒーターにより発生した熱が照明器具に伝わって、照明器具が加熱される可能性がある。このように照明器具が加熱されることは、照明器具の故障等の不具合を生じる要因になり、好ましくない。
【０００５】
本発明は前記事情に鑑みてなされたものであって、物品を収納する収納庫の内部が加熱されても、照明装置の不具合が生じにくい収納装置を提供することを目的とする。
【課題を解決するための手段】
【０００６】
前記目的を達成するために本発明の収納装置は、物品を収納可能な収納庫と、前記収納庫に収納された前記物品を加熱する加熱装置と、前記収納庫に設けられた照明装置とを備え、前記照明装置は、一方向に延びた放熱部材と、複数の回路基板と、前記各回路基板に設けられた光源部とを備え、前記放熱部材は、その長手方向に沿う一面である基板配置面を備え、前記複数の回路基板は、前記基板配置面に沿って前記放熱部材の長手方向に並べて設けられ、前記各回路基板は、前記基板配置面に沿って前記放熱部材の長手方向に延びた板状に形成され、前記照明装置は、前記放熱部材に設けられて前記複数の回路基板を前記各回路基板の長手方向の膨張を許容しつつ保持する保持具をさらに備えたことを特徴とする。
【発明の効果】
【０００７】
本発明に係る収納装置は、物品を収納する収納庫の内部が加熱されても、照明装置の不具合が生じにくい。
【図面の簡単な説明】
【０００８】
【図１】図１は、本発明の実施形態の収納装置の斜視図である。
【図２】図２は、前記収納装置を台所の壁に設置した状態を示した断面図である。
【図３】図３は、前記収納装置の前板の図示を省略した斜視図である。
【図４】図４は、図２のＡ部拡大図である。
【図５】図５は、前記収納装置の昇降棚を突出位置に配置した状態を示した斜視図である。
【図６】図６Ａは、前記収納装置のカバーの図示を省略した底面図であり、図６Ｂは図６ＡのＢ部拡大図である。
【図７】図７は、前記収納装置の第１の保持部材およびその近傍部分を示した斜視図である。
【図８】図８は、前記収納装置の第２の保持部材およびその近傍部分を示した斜視図である。
【図９】図９は、前記第１の保持部材およびその近傍部分を示した正面図である。
【発明を実施するための形態】
【０００９】
以下、添付図面に基づき、本発明の実施形態について説明する。図１は本実施形態の収納装置１の斜視図である。収納装置１は、例えば図２に示されるように、フロアーキャビネット１０（調理台）の上方に位置するように台所の壁１１に沿って設置され、食器乾燥機として利用される。
【００１０】
なお、以下では、収納装置１が設置された状態を基準にした方向を用いて説明する。具体的には、図１において、矢印Ｄ１で示す方向を前方、矢印Ｄ２で示す方向を後方、矢印Ｄ３で示す方向を左方、矢印Ｄ４で示す方向を右方として説明する。
【００１１】
図２に示されるように、収納装置１は、物品を収納可能な収納庫２を備えている。本実施形態の収納庫２は、外箱３と、外箱３に収納可能で外箱３に対して昇降可能な昇降棚４とで構成されている。
【００１２】
外箱３は、下方に開口した矩形箱状に形成されている。外箱３は、天板３０、前板３１、左右一対の側板３２，３３（図３参照）、および背板３４を備えている。
【００１３】
前板３１、天板３０、一対の側板３２，３３、および背板３４は、それぞれ矩形板状である。前板３１、天板３０、一対の側板３２，３３、および背板３４は木製であって、具体的には合板から形成されている。なお、前板３１、天板３０、一対の側板３２，３３および背板３４のそれぞれは、例えば合板以外の木材から形成されてもよいし、金属や合成樹脂等のその他の材料から形成されてもよい。
【００１４】
本実施形態の外箱３は、前板３１の下方に設けられた幕板３５をさらに備えている。外箱３の前面は、前板３１と幕板３５とで構成されている。外箱３の上面、左右の側面、および後面は、天板３０、一対の側板３２，３３および背板３４のそれぞれで構成されている。
【００１５】
昇降棚４は、図３に示されるように、前方に開口した矩形箱状に形成されており、例えば金属製である。なお、昇降棚４は、木材や合成樹脂等のその他の材料から形成されてもよい。
【００１６】
昇降棚４は、底壁部４０、一対の側壁部４１，４２（図３参照）、天井壁部４３、および後壁部４４を備えている。一対の側壁部４１，４２は、底壁部４０の両側端部のそれぞれから上方に向かって突出している。天井壁部４３は、一対の側壁部４１，４２の上端部同士を連結している。後壁部４４は、一対の側壁部４１，４２の後端部同士を連結している。
【００１７】
昇降棚４の下面、左右の側面、上面、および後面は、それぞれ底壁部４０、一対の側壁部４１，４２、天井壁部４３、および後壁部４４で構成されている。なお、昇降棚４は物品を載置可能な部分を備えたものであればよく、その形状は特に制限されない。例えば昇降棚４は、前方および上方が開口した箱状であってもよい。
【００１８】
本実施形態の収納装置１は、昇降棚４を昇降する昇降装置２５をさらに備えている。昇降装置２５は外箱３の内側に位置し、外箱３に取り付けられている。
【００１９】
昇降装置２５は、昇降棚４を図１に示される収納位置と、図５に示される突出位置との間で昇降させる。図１に示されるように、昇降棚４が収納位置に位置するとき、昇降棚４は外箱３に収納される。また、このように昇降棚４が収納位置に位置するとき、外箱３の下端開口は、昇降棚４の底壁部４０によって閉塞される。図５に示されるように、昇降棚４が突出位置に位置するとき、昇降棚４は、外箱３の下端開口から下方に突出する。
【００２０】
図３に示されるように、昇降装置２５は、モーター２６、巻取ドラム２７、および索２８を備えている。巻取ドラム２７はモーター２６の駆動に連動して回転する。巻取ドラム２７と昇降棚４は、索２８で連結されており、昇降棚４は索２８を介して巻取ドラム２７に吊り下げられている。
【００２１】
昇降棚４は、昇降装置２５のモーター２６の駆動に伴って昇降する。すなわち、モーター２６の駆動軸が正転して巻取ドラム２７が回転すると、巻取ドラム２７によって索２８が巻き取られて昇降棚４が上昇する。また、モーター２６の駆動軸が逆転して、巻取ドラム２７がモーター２６の正転時とは逆方向に回転すると、巻取ドラム２７から索２８が繰り出されて昇降棚４が下降する。
【００２２】
本実施形態の収納装置１は、幕板３５に設けられた操作部３６をさらに備えている。前述の昇降装置２５による昇降棚４の昇降は、利用者による操作部３６の操作に応じて行われる。なお、操作部３６が設けられる箇所は、幕板３５に限られない。操作部３６は、例えば前板３１や昇降棚４に設けられてもよい。
【００２３】
利用者は、操作部３６を操作することで、昇降装置２５を駆動して昇降棚４を突出位置まで移動させ、昇降棚４を利用者から近い位置に配置できる。このようにすることで、利用者は昇降棚４に食器等の物品を容易に載せることが可能になる。また、利用者は、操作部３６を操作することで、昇降装置２５を駆動して昇降棚４を収納位置まで移動させ、昇降棚４に載せた物品を収納庫２に容易に収納できる。
【００２４】
なお、昇降装置２５は、例えば昇降棚４に連結されたアームやねじ棒等をモーターにより駆動することで、昇降棚４を昇降させる装置であってもよい。また、昇降装置２５は省略可能であり、例えば外箱３には昇降棚４を上下動可能に支持する機構だけが設けられてもよい。この場合、利用者は手動により昇降棚４を昇降させる。
【００２５】
収納装置１は、加熱装置２０をさらに備えている。本実施形態の加熱装置２０は、収納位置に位置した昇降棚４の内側に温風を供給する温風供給装置で構成されており、外箱３に設けられている。
【００２６】
加熱装置２０は、収納庫２に収納された物品を加熱する。具体的に加熱装置２０は、外箱３の天板３０の下面に取り付けられており、外箱３の内部の上端部に位置している。加熱装置２０は、外郭を構成するケース２１と、ケース２１に設けられたファン２２およびヒーター２３を備えている。
【００２７】
昇降棚４の天井壁部４３には、上下方向に貫通した通気口４５が形成されている。ファン２２は、ケース２１内に外箱３の外部の空気を取り込み、この空気を収納位置に配置された昇降棚４の通気口４５を介して当該昇降棚４の内側に吹き出す。ヒーター２３は、ファン２２によってケース２１から昇降棚４に吹き出される空気を加熱する。
【００２８】
前述の加熱装置２０の入切は、利用者による操作部３６の操作に応じて切り替えられる。昇降棚４が収納位置に位置した状態で加熱装置２０が駆動されてファン２２およびヒーター２３の運転が開始されると、ファン２２によってケース２１下方の外箱３内の空気がケース２１内に吸い込まれる。この空気は、ヒーター２３で加熱された後、通気口４５を介して昇降棚４の内側に吹き出される。これにより、収納庫２（昇降棚４）に収納された物品は加熱されて乾燥する。
【００２９】
なお、加熱装置２０は温風供給装置に制限されず、例えば外箱３内を加熱するためのヒーター等であってもよい。
【００３０】
収納装置１は、収納庫２の外部を照らす照明装置５をさらに備えている。本実施形態の照明装置５は、収納庫２の前端部の下端部に位置するように収納庫２内に設けられており、収納庫２の下面から収納庫２の下方に向かって光を出す。なお、照明装置５は、外箱３内の他部に設けられてもよいし、外箱３の外面に取り付けられてもよい。また、照明装置５によって照らされる領域は、収納庫２の下方の領域に限られず、例えば外箱３の前方の領域等であってもよい。
【００３１】
照明装置５は、図４に示されるように、遮熱部材５０、放熱部材５１、発光装置７、保持具８、およびカバー５２を備えている。
【００３２】
遮熱部材５０は、左右方向に延びた矩形板状であって、前板３１の下端部の後面に沿っている。遮熱部材５０は、図３に示されるように、外箱３の一対の側板３２，３３間に亘っている。遮熱部材５０の左右両端部は、対応する側板３２，３３に連結されている。
【００３３】
遮熱部材５０は、断熱性の優れた材料から形成されている。遮熱部材５０は、例えば、合板やパーチ材等の木材、発泡ポリスチレン、発泡ポリプロピレン、発泡ポリエチレン、グラスウール等の断熱材、あるいはゴムなどから形成される。
【００３４】
図４に示されるように、遮熱部材５０の下方には、放熱部材５１が設けられている。放熱部材５１は、ねじ止めにより遮熱部材５０に固定されている。
【００３５】
放熱部材５１はアルミニウム製であって、伝熱性に優れている。放熱部材５１は、後述する発光装置７が有する各回路基板７１，７２よりも熱膨張率が小さい。なお、放熱部材５１は、ステンレス等の金属や、その他の伝熱性の優れた材料から形成されてもよい。
【００３６】
図６Ａは、カバー５２の図示を省略した収納装置１の底面図である。図６Ａに示されるように放熱部材５１は左右方向に延びた長尺部材である。
【００３７】
図４に示されるように放熱部材５１は、遮熱部材５０の下端面に沿って配置された収納部５３と、遮熱部材５０の前面に沿って配置された突片部５４とを備えている。
【００３８】
収納部５３は、放熱部材５１の下端部に形成されている。収納部５３は、図６Ａに示されるように左右方向に延びており、外箱３の一対の側板３２，３３間に亘っている。
【００３９】
図４に示されるように、収納部５３は、長手方向と直交した断面形状が下方に開口した略Ｃ字状（コ字状）である。収納部５３は、上片部５５と、上片部５５の前端部から下方に向かって突出した前片部５６と、上片部５５の後端部から下方に向かって突出した後片部５７とを備えている。収納部５３には、上片部５５、前片部５６、および後片部５７で構成され、下方に開口した溝部５８が形成されている。
【００４０】
突片部５４は、上片部５５の前縁部から上方に向かって突出している。突片部５４は、収納部５３と一体に形成されており、収納部５３の左右方向の全長に亘っている。突片部５４の前面と、前片部５６の前面は面一である。突片部５４の前面と前片部５６の前面とで、放熱部材５１の前面が構成されている。
【００４１】
上片部５５の上面および突片部５４の後面は、遮熱部材５０で覆われている。このため、収納庫２内が加熱装置２０により加熱されたときに、収納庫２内の熱が放熱部材５１に伝わりにくい。
【００４２】
放熱部材５１の収納部５３には、発光装置７が収納されている。すなわち、本実施形態の放熱部材５１は、発光装置７を収納するケーシングを兼ねている。
【００４３】
放熱部材５１は、左右方向（長手方向）に沿う一面である基板配置面５９を備えている。本実施形態では、上片部５５の下面の前後両端部に、下方に向かって突出し左右方向に延びた突条部６０，６１が上片部５５の左右方向の全長に亘って形成されており、上片部５５の下面において前後の突条部６０，６１の間の部分が基板配置面５９となっている。
【００４４】
発光装置７は、収納部５３の溝部５８に収納されている。図６Ａに示されるように、発光装置７は、左右方向（放熱部材５１の長手方向）に並べて設けられた複数の回路基板７１，７２と、各回路基板７１，７２に設けられた光源部７３とを備えている。
【００４５】
本実施形態の発光装置７は、２枚の回路基板７１，７２を備えている。なお、発光装置７は、３枚以上の回路基板を備えてもよい。
【００４６】
左右の回路基板７１，７２のそれぞれは、基板配置面５９に沿って左右方向に延びた矩形板状に形成されている。各回路基板７１，７２は、紙にエポキシ樹脂を含浸させた材料から製造されたプリント基板（紙エポキシ基板）である。なお、各回路基板７１，７２は、紙フェノール基板や、ガラスコンポジット基板等であってもよい。
【００４７】
左右の回路基板７１，７２のそれぞれは、上面（厚み方向の一面）が基板配置面５９に接触した状態で、放熱部材５１の溝部５８に収納されている。左右の回路基板７１，７２は、左右方向に離間して位置している。
【００４８】
以下、必要に応じて、左右の回路基板７１，７２のうち、左側に位置した一方の回路基板７１を一方回路基板７１といい、右側に位置した他方の回路基板７２を他方回路基板７２という。
【００４９】
図７に示されるように、一方回路基板７１と他方回路基板７２は、配線７４を介して電気接続されている。これにより、一方回路基板７１と他方回路基板７２のうちのいずれか一方が電源に接続されるだけで、左右の回路基板７１，７２に光源部７３を発光させるための電力が供給される。本実施形態では、他方回路基板７２が電源に接続され、他方回路基板７２から配線７４を介して一方回路基板７１に電力が供給される。配線７４は、基板配置面５９において一方回路基板７１と他方回路基板７２との間に亘る領域に沿って位置している。
【００５０】
左右の回路基板７１，７２のそれぞれは、上片部５５の前後の突条部６０，６１によって前後方向の移動が規制されている。なお、前後の突条部６０，６１の間隔は、各回路基板７１，７２の前後幅よりも僅かに大きく、各回路基板７１，７２は、前後の突条部６０，６１の少なくとも一方との間に隙間６２が形成されるように位置している。隙間６２は、各回路基板７１，７２の前後方向の熱膨張を許容する。
【００５１】
図６Ａに示されるように、左右の回路基板７１，７２のそれぞれに設けられた光源部７３は、左右方向（回路基板７１，７２の長手方向）に並べて設けられた複数の発光素子７５を備えている。本実施形態の発光素子７５は発光ダイオードであって、各発光素子７５は、対応する回路基板７１，７２の下面に実装されている。
【００５２】
各発光素子７５は、回路基板７１，７２に設けられた回路を介して電力が供給されることで、下方に光を発する。なお、光源部７３が備える発光素子７５は、発光ダイオードに限られず、例えば電球形蛍光灯や白熱電球等であってもよい。
【００５３】
放熱部材５１には、複数の回路基板７１，７２を、各回路基板７１，７２の左右方向の膨張を許容しつつ保持する保持具８が設けられている。
【００５４】
本実施形態の保持具８は、図６Ａに示されるように、放熱部材５１の基板配置面５９に沿って左右方向に並べて設けられた複数の保持部材８１，８２を備えている。本実施形態では、放熱部材５１において、一方回路基板７１の左側端部、一方回路基板７１と他方回路基板７２との間、および他方回路基板７２の右側端部のそれぞれに対応する箇所に、保持部材８１，８２が設けられている。
【００５５】
各保持部材８１，８２は、対応する回路基板７１，７２の長さ方向の端部を保持している。これにより、各回路基板７１，７２は、基板配置面５９において当該回路基板７１，７２の左右の端部に対応する箇所にそれぞれ設けられた保持部材８１，８２によって保持されている。
【００５６】
複数の保持部材８１，８２は、左右の回路基板７１，７２の間に設けられた第１の保持部材８１と、一方回路基板７１の左側端部および他方回路基板７２の右側端部のそれぞれに設けられた第２の保持部材８２とを含む。すなわち、第１の保持部材８１と第２の保持部材８２は、左右方向において交互に設けられている。
【００５７】
左右の回路基板７１，７２は、共に第１の保持部材８１側の端部が第１の保持部材８１によって保持されている。また、左右の回路基板７１，７２のそれぞれの第１の保持部材８１とは反対側の端部は、対応する第２の保持部材８２によって保持されている。
【００５８】
図７に示されるように、第１の保持部材８１は、ボス部８４を備えている。ボス部８４は上下両側が開口した円筒状に形成されており、上下方向に貫通したねじ挿通孔８５を備えている。第１の保持部材８１は、ねじ挿通孔８５に下方（基板配置面５９とは反対側）から挿入したねじ８６を上片部５５にねじ込むことで、放熱部材５１に取り付けられている。
【００５９】
ここで、第１の保持部材８１は、上下方向（回路基板７１，７２の厚み方向）に見たときに、放熱部材５１において左右の回路基板７１，７２同士を接続した配線７４と重ならない箇所に設けられている。このため、第１の保持部材８１をねじ８６により放熱部材５１に取り付けるときには、左右の回路基板７１，７２を接続した配線７４が、第１の保持部材８１と放熱部材５１との間に挟まれにくい。
【００６０】
第１の保持部材８１は、ボス部８４の下部から左右両側に突出した押さえ部９１，９２をさらに備えている。以下、必要に応じて、ボス部８４の左側（一方回路基板７１側）に位置した押さえ部９１を第１の押さえ部９１といい、ボス部８４の右側（他方回路基板７２側）に位置した押さえ部９２を第２の押さえ部９２という。
【００６１】
第１の押さえ部９１と基板配置面５９の間には、一方回路基板７１の右側（第１の保持部材８１側）の端部が位置している。一方回路基板７１の右側の端面は、ボス部８４に対向している。一方回路基板７１の右側端部の下面（基板配置面５９と反対側の面）は、第１の押さえ部９１に対向している。
【００６２】
他方回路基板７２の左側（第１の保持部材８１側）の端部は、第２の押さえ部９２と基板配置面５９の間に位置している。他方回路基板７２の左側の端面は、ボス部８４に対向している。他方回路基板７２の左側端部の下面は、第２の押さえ部９２に対向している。
【００６３】
第１の保持部材８１が備えたボス部８４の左右の壁部８７，８８のそれぞれは、対応する回路基板７１，７２がその長手方向における外側に向かって移動することを規制する第１の移動規制部を構成している。また、第１の押さえ部９１および第２の押さえ部９２のそれぞれは、対応する回路基板７１，７２が下方（基板配置面５９とは反対側）に向かって移動することを規制する第２の移動規制部を構成している。
【００６４】
一方回路基板７１の右側端部は、前述のようにボス部８４の左側の壁部８７（第１の移動規制部）および第１の押さえ部９１（第２の移動規制部）によって移動が規制されることで、第１の保持部材８１に保持されている。すなわち、本実施形態の第１の保持部材８１の左側には、ボス部８４の左側の壁部８７と第１の押さえ部９１によって構成された保持部８９が設けられており、この保持部８９によって一方回路基板７１の右側端部が保持されている。以下、この保持部８９を一方保持部８９という。
【００６５】
また、他方回路基板７２の左側端部は、前述のようにボス部８４の右側の壁部８８（第１の移動規制部）および第２の押さえ部９２（第２の移動規制部）によって移動が規制されることで、第１の保持部材８１に保持されている。すなわち、本実施形態の第１の保持部材８１の右側には、ボス部８４の右側の壁部８８と第２の押さえ部９２によって構成された保持部９０が設けられており、この保持部９０によって他方回路基板７２の左側端部が保持されている。以下、この保持部９０を他方保持部９０という。すなわち、本実施形態の第１の保持部材８１は、一方保持部８９と、一方保持部８９と一体に形成された他方保持部９０とを備えた部材である。なお、一方保持部８９と他方保持部９０は、別体であってもよい。
【００６６】
図６Ａに示されるように、放熱部材５１において各回路基板７１，７２の第１の保持部材８１とは反対側の端部に対応する箇所に設けられた第２の保持部材８２は、第１の保持部材８１と基本的な構成要素が同じである。このため、以下では、各第２の保持部材８２において第１の保持部材８１と共通する構成要素については同一の符号を付してその説明を省略する。
【００６７】
各第２の保持部材８２は、図８に示されるように、ボス部８４の上端部から前後両側に突出した回転規制部９３，９４を備えている。ここで、作業者が第２の保持部材８２をねじ８６によって放熱部材５１に取り付けるにあたって、ねじ挿通孔８５に挿通したねじ８６を放熱部材５１にねじ込むとき、当該第２の保持部材８２はねじ８６と共に上下軸回りに回転する可能性がある。しかし、本実施形態では、第２の保持部材８２の前後の回転規制部９３，９４が、対応する回路基板７１，７２の第１の保持部材８１とは反対側の端面に接触し、これにより第２の保持部材８２の前記回転が規制される。このため、作業者は、第２の保持部材８２を放熱部材５１に簡単に取り付けることができる。なお、第２の保持部材８２は、対応する回路基板７１，７２の第１の保持部材８１側の端部が第１の保持部材８１によって保持された状態で、放熱部材５１に取り付けられる。このため、前述のように第２の保持部材８２の回転規制部９３，９４が対応する回路基板７１，７２の端面に接触しても、当該回路基板７１，７２は動きにくくなっている。
【００６８】
各第２の保持部材８２は、ボス部８４の対応する回路基板７１，７２側の壁部８７，８８によって、当該回路基板７１，７２がその長手方向における外側に向かって移動することを規制する。また、各第２の保持部材８２は、対応する回路基板７１，７２側の押さえ部９１，９２により、当該回路基板７１，７２が下方に向かって移動することを規制する。これにより、各回路基板７１，７２の第１の保持部材８１とは反対側の端部が対応する第２の保持部材８２により保持されている。すなわち、本実施形態の第２の保持部材８２は、左右両側の保持部８９，９０のうちの一方の保持部８９，９０を用いて対応する回路基板７１，７２の端部を保持している。
【００６９】
なお、本実施形態の第２の保持部材８２は、左右両側に保持部８９，９０が形成されているが、対応する回路基板７１，７２側にのみ保持部８９，９０が形成されてもよい。
【００７０】
図６Ｂに示されるように、左右方向において隣り合う保持部材８１，８２のボス部８４同士の間隔Ｌ１は、当該両保持部材８１，８２の間に配置される回路基板７１，７２の左右方向の長さＬ２よりも大きい。このため、当該両保持部材８１，８２のうちの少なくとも一方の保持部材８１，８２のボス部８４と、これに対応する回路基板７１，７２の長さ方向の端面との間には、図９に示されるような隙間８３が形成される。この隙間８３は、対応する回路基板７１，７２の左右方向の熱膨張を許容する。このような隙間８３を設けることで、回路基板７１，７２が左右方向に熱膨張したときに、当該回路基板７１，７２の左右両端面が対応する保持部材８１，８２に接触して当該回路基板７１，７２が反るといった事態が生じにくい。すなわち、隣り合う保持部材８１，８２のボス部８４の間隔Ｌ１から、両保持部材８１，８２の間に配置される回路基板７１，７２の長さＬ２を減じた寸法Ｌ３（Ｌ３＝Ｌ１−Ｌ２）は、当該回路基板７１，７２の左右方向の熱膨張を許容できる寸法である。
【００７１】
各保持部材８１，８２の左右の押さえ部９１，９２は、図９に示されるように、基板配置面５９までの上下寸法が、対応する回路基板７１，７２の厚みよりも大きい。このため、各回路基板７１，７２の左右両端部のそれぞれの上面と、対応する押さえ部９１の下面との間には、隙間９５が形成されるようになっている。この隙間９５は、対応する回路基板７１，７２の上下方向の熱膨張を許容する。なお、前述した寸法Ｌ３は、各回路基板７１，７２の左右方向の熱膨張量が上下方向の熱膨張量よりも大きいことを考慮して、隙間９５の上下寸法よりも大きく設定されることが好ましい。
【００７２】
なお、本実施形態の保持具８は、各回路基板７１，７２の左右方向の膨張を許容するための隙間６２を介して複数の回路基板７１，７２を保持しているが、保持具８はこれに制限されない。保持具８は、例えば各回路基板７１，７２を左右方向にスライド可能に保持する保持部材を備え、これら保持部材で複数の回路基板７１，７２を保持するものであってもよい。
【００７３】
図４に示されるように、放熱部材５１の溝部５８の下開口部６３は、収納位置に位置した昇降棚４の下面と略同じ高さに位置している。溝部５８の下開口部６３には、当該下開口部６３を塞いで、溝部５８の内側にごみや埃等が入り込むことを抑制するカバー５２が設けられている。
【００７４】
カバー５２は、各回路基板７１，７２の下方に位置している。カバー５２は、透光性を有しており、各回路基板７１，７２の光源部７３から下方に照射された光は、カバー５２を透過する。
【００７５】
カバー５２は、各回路基板７１，７２の光源部７３から照射された光を拡散する。このため、各回路基板７１，７２の光源部７３から下方に照射された光は、カバー５２にて均一化された後、カバー５２の下方に出る。なお、本実施形態のカバー５２は乳白色に着色されているが、その他の色が着色されてもよいし、無色であってもよい。また、カバー５２は、光源部７３からの光を後方や前方に傾けて出射する機能などを備えてもよい。また、カバー５２は省略可能である。
【００７６】
照明装置５による照明の入切は、利用者による操作部３６の操作に応じて切り替えられる。利用者が操作部３６を操作することで、照明装置５の各回路基板７１，７２の光源部７３（複数の発光素子７５）は発光する。このように各回路基板７１，７２の光源部７３が発光すると、各回路基板７１，７２の光源部７３から発せられた光は、カバー５２を透って、収納部５３の下方に出射する。この光はカバー５２の左右方向に延びた広い領域から出射され、この光により収納庫２の下方が広範囲にわたって照明される。
【００７７】
放熱部材５１の前方には、前述した幕板３５が位置している。幕板３５は、放熱部材５１の前面に沿っている。幕板３５は、例えばねじ止めと掛止により放熱部材５１に固定される。なお、幕板３５は、接着剤等を用いて放熱部材５１に取り付けられてもよい。
【００７８】
幕板３５は、左右方向に延びた長尺部材である。幕板３５は、金属製であって、具体的にはアルミニウム製である。なお、幕板３５は、例えば合成樹脂や木材等のその他の材料から形成されてもよい。
【００７９】
幕板３５は、前板３１の下方に位置した溝状部３７と、前板３１の下端部後方に位置した板状部３８とを備えている。
【００８０】
溝状部３７は、放熱部材５１の前面および前板３１の下端面に沿って左右方向に延びている。溝状部３７は、長手方向と直交した断面形状が後方に開口した断面略Ｃ字状（コ字状）に形成されている。溝状部３７の上面は、前板３１の下端面に接し、溝状部３７の前面は、前板３１の前面と略面一である。溝状部３７の前面には、前述した操作部３６が設けられている。
【００８１】
板状部３８は、溝状部３７の上面部の後縁部から上方に向かって突出している。板状部３８の後面は、放熱部材５１の突片部５４の前面に接しており、これにより、幕板３５は放熱部材５１に熱的に接続されている。
【００８２】
前述の照明装置５による照明が行われたとき、各光源部７３や各回路基板７１，７２で発生した熱は、放熱部材５１に伝わり、放熱部材５１で放散される。また、放熱部材５１の熱の一部は、幕板３５に伝わってこの幕板３５においても放散される。従って、発光装置７は高温になりにくい。
【００８３】
また、照明装置５の発光装置７は、放熱部材５１に収納され、かつこの放熱部材５１の表面において収納庫２内に臨む部分は、遮熱部材５０によって覆われている。このため、加熱装置２０により収納庫２内に発生した熱は、遮熱部材５０および放熱部材５１により遮られて発光装置７に伝わりにくい。
【００８４】
また、本実施形態の発光装置７は、図６Ａに示されるように、左右方向に並ぶ複数の回路基板７１，７２を備えているため、回路基板７１，７２が長手方向に熱膨張したときに反りにくい。例えば発光装置７が、本実施形態の回路基板７１，７２の２枚分の長さを有する回路基板を一枚のみ備え、この回路基板が本実施形態と同様に、保持具８により長手方向の両端部が保持されているとする。この場合、回路基板は長手方向に大きく熱膨張し、当該回路基板の長手方向の両端部が保持部材８１に接触して回路基板が反る可能性がある。このように回路基板が反ると、回路基板の基板配置面５９との接触面積が小さくなり、発光装置７の放熱効率が低下する可能性もある。また、この回路基板の長手方向の両端部と対応する保持部材８１との間の隙間８３の左右寸法を大きくすれば、回路基板の反りは生じにくくなる。しかし、この場合は、回路基板が左右方向に大きく移動しやすくなり、保持具８により回路基板をしっかりと保持することが難しい。これに対して、本実施形態の発光装置７は、左右方向に並ぶ複数の回路基板７１，７２を備えているので、回路基板７１，７２一枚当たりの左右方向の熱膨張量は小さくなる。従って、保持具８により各回路基板７１，７２はしっかりと保持され、かつ各回路基板７１，７２の反りの発生が抑制される。
【００８５】
以上説明した本実施形態の収納装置１は、以下の特徴を有している。収納装置１は、物品を収納可能な収納庫２と、収納庫２に収納された物品を加熱する加熱装置２０と、収納庫２に設けられた照明装置５とを備える。照明装置５は、一方向に延びた放熱部材５１と、複数の回路基板７１，７２と、各回路基板７１，７２に設けられた光源部７３とを備える。放熱部材５１は、その長手方向に沿う一面である基板配置面５９を備える。複数の回路基板７１，７２は、放熱部材５１の長手方向に並べて設けられる。各回路基板７１，７２は、基板配置面５９に沿って放熱部材５１の長手方向に延びた板状に形成される。照明装置５は、放熱部材５１に設けられて複数の回路基板７１，７２を各回路基板７１，７２の長手方向の膨張を許容しつつ保持する保持具８をさらに備える。
【００８６】
この特徴を有する収納装置１は、加熱装置２０により発生した熱が照明装置５に伝わったとしても、この熱は放熱部材５１により放散される。このため、発光装置７が高温になって故障等の不具合が生じることが抑制される。また、保持具８は、複数の回路基板７１，７２を各回路基板７１，７２の長手方向の熱膨張を許容しつつ保持する。このため、仮に加熱装置２０により発生した熱が回路基板７１，７２に伝わって回路基板７１，７２が熱膨張したとしても、各回路基板７１，７２は反りにくい。また、発光装置７は、左右方向に並ぶ複数の回路基板７１，７２を備えている。このため、前述したように、回路基板を一枚のみ備える場合と比較して、保持具８により各回路基板７１，７２がしっかりと保持され、かつ各回路基板７１，７２の反りの発生が抑制される。
【００８７】
また、本実施形態の収納装置１は、以下の付加的な特徴を有している。各光源部７３は、回路基板７１，７２の長手方向に複数並べて設けられた発光ダイオードを備える。
【００８８】
この特徴を有する収納装置１は、各回路基板７１，７２に設けられた複数の発光ダイオードにより、放熱部材５１の長手方向の広い範囲に亘って照明できる。
【００８９】
また、本実施形態の収納装置１は、以下の付加的な特徴を有している。保持具８は、基板配置面５９において各回路基板７１，７２の長手方向の両端部のそれぞれに対応する箇所に設けられて、対応する回路基板７１，７２の長手方向の端部を保持する保持部８９，９０を備える。各保持部８９，９０は、第１の移動規制部（ボス部８４の壁部８７，８８）と、第２の移動規制部（押さえ部９１，９２）とを備える。第１の移動規制部は、対応する回路基板７１，７２の長手方向の端面に対向し、当該回路基板７１，７２がその長手方向における外側に向かって移動することを規制する。第２の移動規制部は、対応する回路基板７１，７２の長手方向の端部の基板配置面５９とは反対側の面に対向し、当該回路基板７１，７２が基板配置面５９とは反対側に移動することを規制する。各回路基板７１，７２の長手方向の両端部のうちの少なくとも一方の端部を保持する保持部８９，９０は、第１の移動規制部と、対応する回路基板７１，７２の長手方向の端面との間に、隙間８３が形成されるように設けられる。
【００９０】
この特徴を有する収納装置１は、各回路基板７１，７２の長手方向の端部が対応する保持部８９，９０により保持される。すなわち、各保持部８９，９０は、第１の移動規制部により対応する回路基板７１，７２が長手方向の外側に移動することを規制する。また、各保持部８９，９０は、第２の移動規制部により当該回路基板７１，７２が基板配置面５９とは反対側に移動することを規制する。そして、これにより、各保持部８９，９０により対応する回路基板７１，７２の長手方向の端部が保持される。
【００９１】
また、本実施形態の収納装置１は、以下の付加的な特徴を有している。保持具８は、放熱部材５１の長手方向に離間して並んだ回路基板７１，７２の間に位置して、基板配置面５９に取り付けられた保持部材８１（第１の保持部材８１）を備える。保持部材８１の両側に配置された回路基板７１，７２のうちの一方の回路基板７１を一方回路基板７１とすると共に他方の回路基板７２を他方回路基板７２とする。保持部材８１は、保持部として、一方回路基板７１の他方回路基板７２側の端部を保持する一方保持部８９と、一方保持部８９と一体に形成され、他方回路基板７２の一方回路基板７１側の端部を保持する他方保持部９０とを備える。
【００９２】
この特徴を有する収納装置１は、隣り合う回路基板７１，７２の間に設けられた保持部材８１の一方保持部８９と他方保持部９０とが一体に形成されるため、部品点数の増加が抑制され、容易に製造できる。
【００９３】
また、本実施形態の収納装置１は、以下の付加的な特徴を有している。収納装置１は、一方回路基板７１と他方回路基板７２とを電気接続した配線７４をさらに備える。配線７４は、基板配置面５９において一方回路基板７１と他方回路基板７２との間に亘る領域に沿って位置する。保持部材８１は、回路基板７１，７２の厚み方向で見たときに、配線７４と重ならない位置に設けられている。
【００９４】
この特徴を有する収納装置１は、隣り合う回路基板７１，７２の間に設けられた保持部材８１が放熱部材５１に取り付けられるとき、当該保持部材８１が配線７４に接触しにくい。このため、作業者は、保持部材８１を放熱部材５１に容易に取り付けることができる。
【００９５】
なお、本実施形態の収納装置１は、本発明の趣旨を逸脱しない範囲で適宜設計変更可能である。
【符号の説明】
【００９６】
１  収納装置
２  収納庫
２０  加熱装置
５  照明装置
５１  放熱部材
５９  基板配置面
７１  一方回路基板
７２  他方回路基板
７３  光源部
７４  配線
７５  発光素子（発光ダイオード）
８  保持具
８１  第１の保持部材
８２  第２の保持部材
８３  隙間
８４  ボス部
８７  ボス部の左側の壁部（第１の移動規制部）
８８  ボス部の右側の壁部（第１の移動規制部）
８９  一方保持部
９０  他方保持部
９１  第１の押さえ部（第２の移動規制部）
９２  第２の押さえ部（第２の移動規制部）
【図１】
0006735496.tif 000002
【図２】
0006735496.tif 000003
【図３】
0006735496.tif 000004
【図４】
0006735496.tif 000005
【図５】
0006735496.tif 000006
【図６】
0006735496.tif 000007
【図７】
0006735496.tif 000008
【図８】
0006735496.tif 000009
【図９】
0006735496.tif 000010